(57)【要約】本発明は通信方法及び装置に関する。該方法は、第２基地局により、第１基地局の記号配置情報を受信し、記号配置情報がサブフレーム内のアップリンク／ダウンリンク記号の配置状況を示すことと、第２基地局が、第１基地局の記号配置情報と第２基地局の記号配置情報に基づき、第２基地局のサブフレーム内の指定記号を空白記号に配置し、指定記号が通信時に干渉が発生すると予測される記号であることと、第２基地局が、再配置後の記号配置情報に基づいて通信することと、を含む。本発明は、第２基地局が通信時に干渉が発生すると予測される記号を空白記号に配置することにより、第１基地局のダウンリンク記号における通信を干渉することを回避する。記号はサブフレーム内におけるより短い時間の長さであり、関連技術に比べて、空白記号を配置する方式はサブフレームのリソースを節約できると共に、第２基地局の通信プロセスを過度に遅延させることなく、通信効率が高くなる。【選択図】図１
2018527764.tif 000002
【特許請求の範囲】
【請求項１】
第２基地局に適用される通信方法であって、
前記第２基地局により、第１基地局の記号配置情報を受信し、前記記号配置情報がサブフレーム内のアップリンク／ダウンリンク記号の配置状況を示すことと、
前記第２基地局が、前記第１基地局の記号配置情報と第２基地局の記号配置情報に基づき、第２基地局のサブフレーム内の指定記号を空白記号に配置し、前記指定記号が通信時に干渉が発生すると予測される記号であることと、
前記第２基地局が、再配置後の記号配置情報に基づいて通信することと、
を含むことを特徴とする、通信方法。
【請求項２】
前記第２基地局により第１基地局の記号配置情報を受信することは、
前記第２基地局により、前記第１基地局が第２基地局の構築後に送信する記号配置情報を受信すること、又は、
前記第２基地局により、前記第１基地局が記号配置情報の変更後に送信する記号配置情報を受信すること、又は、
前記第２基地局により、前記第１基地局が作業ニーズの変更後に送信する記号配置情報を受信すること、
を含むことを特徴とする、請求項１に記載の通信方法。
【請求項３】
前記第２基地局が前記第１基地局の記号配置情報と第２基地局の記号配置情報に基づき、第２基地局のサブフレーム内の指定記号を空白記号に配置することは、
前記第１基地局のサブフレーム内と前記第２基地局のサブフレーム内とのいずれにもアップリンク記号とダウンリンク記号とが含まれる場合、前記第２基地局により前記第２基地局のアップリンク記号と前記第１基地局のダウンリンク記号との重なる位置を決定し、前記重なる位置のアップリンク記号を空白記号に配置すること、又は、
前記第１基地局のサブフレーム内にアップリンク記号とダウンリンク記号が含まれ、前記第２基地局のサブフレーム内にはアップリンク記号が含まれるが、ダウンリンク記号が含まれていない場合、前記第２基地局により前記第２基地局のサブフレーム内のアップリンク記号を空白記号に配置すること、又は、
前記第２基地局のサブフレーム内にアップリンク記号とダウンリンク記号が含まれ、前記第１基地局のサブフレーム内にはダウンリンク記号が含まれるが、アップリンク記号が含まれていない場合、前記第２基地局により前記第２基地局のサブフレーム内のアップリンク記号を空白記号に配置すること、
を含むことを特徴とする、請求項１に記載の通信方法。
【請求項４】
前記第１基地局の記号配置情報に前記第１基地局のサブフレーム内の全ての記号配置情報が含まれていない場合、前記第２基地局により、前記第１基地局のサブフレーム内の前記記号配置情報に含まれる記号以外の記号であるターゲット記号の位置を決定し、前記第２基地局のサブフレーム内の前記ターゲット記号に対応する位置のアップリンク記号を空白記号に配置することをさらに含むことを特徴とする、請求項３に記載の通信方法。
【請求項５】
前記第２基地局の記号配置情報に未指定記号が含まれ、且つ前記第１基地局の記号配置情報に未指定記号が含まれていない場合、前記第２基地局により前記第１基地局のダウンリンク記号に対応する位置の未指定記号を空白記号に配置すること、又は、
前記第１基地局の記号配置情報に未指定記号が含まれ、且つ前記第２基地局の記号配置情報に未指定記号が含まれていない場合、前記第２基地局により前記未指定記号の位置を決定し、前記第２基地局のサブフレーム内の前記未指定記号の位置に対応するアップリンク記号に空白記号を配置すること、又は、
前記第２基地局の記号配置情報と前記第１基地局の記号配置情報とのいずれにも未指定記号が含まれる場合、前記第２基地局により前記第１基地局のダウンリンク記号に対応する位置の第２基地局の未指定記号を空白記号に配置し、前記第２基地局のサブフレーム内にて、前記第１基地局の未指定記号に対応する位置のアップリンク記号を決定し、前記対応する位置のアップリンク記号を空白記号に配置すること、
をさらに含むことを特徴とする、請求項３に記載の通信方法。
【請求項６】
前記第２基地局が再配置後の記号配置情報に基づいて通信することは、
ＵＥが前記空白記号において通信しないように、前記第２基地局により第１記号配置情報をユーザー装置ＵＥに送信すること、又は、
ＵＥが前記空白記号においてプリセットのパワーを採用して通信するように、前記第２基地局によりプリセットのパワーを持つ第２記号配置情報をユーザー装置ＵＥに送信すること、
を含むことを特徴とする、請求項１に記載の通信方法。
【請求項７】
前記第１基地局は前記第２基地局のカバレッジエリア内のマイクロ基地局であり、又は前記第１基地局は前記第２基地局のカバレッジエリアと重なるマクロ基地局であり、又は前記第１基地局は前記第２基地局の隣接基地局であることを特徴とする、請求項１に記載の通信方法。
【請求項８】
第２基地局に適用される通信装置であって、
第１基地局のサブフレーム内のアップリンク／ダウンリンク記号の配置状況を示す記号配置情報を受信する受信モジュールと、
前記第１基地局の記号配置情報と第２基地局の記号配置情報に基づき、第２基地局のサブフレーム内の通信時に干渉が発生すると予測される記号である指定記号を空白記号に配置する配置モジュールと、
再配置後の記号配置情報に基づいて通信する通信モジュールと、
を含むことを特徴とする、通信装置。
【請求項９】
前記受信モジュールは、
前記第１基地局が第２基地局の構築後に送信する記号配置情報を受信し、又は、
前記第１基地局が記号配置情報の変更後に送信する記号配置情報を受信し、又は、
前記第１基地局が作業ニーズの変更後に送信する記号配置情報を受信する、
ことを特徴とする、請求項８に記載の通信装置。
【請求項１０】
前記配置モジュールは、
前記第１基地局のサブフレーム内と前記第２基地局のサブフレーム内とのいずれにもアップリンク記号とダウンリンク記号が含まれる場合、前記第２基地局のアップリンク記号と前記第１基地局のダウンリンク記号の重なる位置を決定し、前記重なる位置のアップリンク記号を空白記号に配置し、又は、
前記第１基地局のサブフレーム内にアップリンク記号とダウンリンク記号が含まれ、前記第２基地局のサブフレーム内にはアップリンク記号が含まれるが、ダウンリンク記号が含まれていない場合、前記第２基地局のサブフレーム内のアップリンク記号を空白記号に配置し、又は、
前記第２基地局のサブフレーム内にアップリンク記号とダウンリンク記号が含まれ、前記第１基地局のサブフレーム内にはダウンリンク記号が含まれるが、アップリンク記号が含まれていない場合、前記第２基地局のサブフレーム内のアップリンク記号を空白記号に配置する、
ことを特徴とする、請求項８に記載の通信装置。
【請求項１１】
前記配置モジュールは、さらに、
前記第１基地局の記号配置情報に前記第１基地局のサブフレーム内の全ての記号配置情報を含まない場合、前記第１基地局のサブフレーム内の前記記号配置情報に含まれる記号以外の記号であるターゲット記号の位置を決定し、前記第２基地局のサブフレーム内の前記ターゲット記号に対応する位置のアップリンク記号を空白記号に配置することを特徴とする、請求項１０に記載の通信装置。
【請求項１２】
前記配置モジュールは、さらに、
前記第２基地局の記号配置情報に未指定記号が含まれ、且つ前記第１基地局の記号配置情報に未指定記号が含まれていない場合、前記第１基地局のダウンリンク記号に対応する位置の未指定記号を空白記号に配置し、又は、
前記第１基地局の記号配置情報に未指定記号が含まれ、且つ前記第２基地局の記号配置情報に未指定記号が含まれていない場合、前記未指定記号の位置を決定し、前記第２基地局のサブフレーム内の前記未指定記号の位置に対応するアップリンク記号に空白記号を配置し、又は、
前記第２基地局の記号配置情報と前記第１基地局の記号配置情報とのいずれにも未指定記号が含まれる場合、前記第１基地局のダウンリンク記号に対応する位置の前記第２基地局の未指定記号を空白記号に設置し、前記第２基地局のサブフレーム内にて、前記第１基地局の未指定記号に対応する位置のアップリンク記号を決定し、前記対応する位置のアップリンク記号を空白記号に配置する、
ことを特徴とする、請求項１０に記載の通信装置。
【請求項１３】
前記通信モジュールは、
ＵＥが前記空白記号において通信しないように、第１記号配置情報をユーザー装置ＵＥに送信し、又は、
ＵＥが前記空白記号において前記プリセットのパワーを採用して通信するように、プリセットのパワーを持つ第２記号配置情報をユーザー装置ＵＥに送信する、
ことを特徴とする、請求項８に記載の通信装置。
【請求項１４】
前記第１基地局は前記第２基地局のカバレッジエリア内のマイクロ基地局であり、又は前記第１基地局は前記第２基地局のカバレッジエリアと重なるマクロ基地局であり、又は前記第１基地局は前記第２基地局の隣接基地局であることを特徴とする、請求項８に記載の通信装置。
【発明の詳細な説明】
【技術分野】
【０００１】
本発明は、移動通信技術分野に関し、特に、通信方法及び装置に関する。
【背景技術】
【０００２】
数年間の発展を経て、移動通信技術はデータの伝送速度、カバレッジエリア及び伝送遅延等において改善の程度が異なる。例えば、通信時のフィードバック遅延のより低い需要を満たすために、本基地局は通信時に１つのサブフレーム内において１回又は複数回のデータ伝送を実現することができる。
【０００３】
現在、通信プロセスにおいて、マクロ基地局はマイクロ基地局のサブフレームの配置情報を取得し、マイクロ基地局と本基地局のサブフレームの配置情報に基づき、マイクロ基地局の伝送を干渉する可能性のあるアップリンクサブフレームを空白サブフレームに配置し、さらに、現在のサブフレームの配置情報に基づいて通信し、マイクロ基地局のダウンリンク伝送に対して干渉することを回避する。
【発明の概要】
【０００４】
関連技術に存在する問題を解決するために、本発明は通信方法及び装置を提供し、前記技術案は以下の通りである。
【０００５】
本発明の実施例に係る第１態様によれば、第２基地局に適用される通信方法を提供し、前記方法は、
前記第２基地局により、第１基地局の記号配置情報を受信し、前記記号配置情報がサブフレーム内のアップリンク／ダウンリンク記号の配置状況を示すことと、
前記第２基地局が、前記第１基地局の記号配置情報と第２基地局の記号配置情報に基づき、第２基地局のサブフレーム内の指定記号を空白記号に配置し、前記指定記号が通信時に干渉が発生すると予測される記号であることと、
前記第２基地局が、再配置後の記号配置情報に基づいて通信することと、を含む。
【０００６】
一つの選択可能な実施形態において、前記第２基地局により第１基地局の記号配置情報を受信することは、
前記第２基地局により、前記第１基地局が第２基地局の構築後に送信する記号配置情報を受信すること、又は、
前記第２基地局により、前記第１基地局が記号配置情報の変更後に送信する記号配置情報を受信すること、又は、
前記第２基地局により、前記第１基地局が作業ニーズの変更後に送信する記号配置情報を受信すること、を含む。
【０００７】
一つの選択可能な実施形態において、前記第２基地局が前記第１基地局の記号配置情報と第２基地局の記号配置情報に基づき、第２基地局のサブフレーム内の指定記号を空白記号に配置することは、
前記第１基地局のサブフレーム内と前記第２基地局のサブフレーム内とのいずれにもアップリンク記号とダウンリンク記号が含まれる場合、前記第２基地局により前記第２基地局のアップリンク記号と前記第１基地局のダウンリンク記号の重なる位置を決定し、前記重なる位置のアップリンク記号を空白記号に配置すること、又は、
前記第１基地局のサブフレーム内にアップリンク記号とダウンリンク記号が含まれ、前記第２基地局のサブフレーム内にはアップリンク記号が含まれるが、ダウンリンク記号が含まれていない場合、前記第２基地局により前記第２基地局のサブフレーム内のアップリンク記号を空白記号に配置すること、又は、
前記第２基地局のサブフレーム内にアップリンク記号とダウンリンク記号が含まれ、前記第１基地局のサブフレーム内にはダウンリンク記号が含まれるが、アップリンク記号が含まれていない場合、前記第２基地局により前記第２基地局のサブフレーム内のアップリンク記号を空白記号に配置すること、を含む。
【０００８】
一つの選択可能な実施形態において、前記方法は、
前記第１基地局の記号配置情報に前記第１基地局のサブフレーム内の全ての記号配置情報が含まれていない場合、前記第２基地局により、前記第１基地局のサブフレーム内の前記記号配置情報に含まれる記号以外の記号であるターゲット記号の位置を決定し、前記第２基地局のサブフレーム内の前記ターゲット記号に対応する位置のアップリンク記号を空白記号に配置することをさらに含む。
【０００９】
一つの選択可能な実施形態において、前記方法は、
前記第２基地局の記号配置情報に未指定記号が含まれ、且つ前記第１基地局の記号配置情報に未指定記号が含まれていない場合、前記第２基地局により前記第１基地局のダウンリンク記号に対応する位置の未指定記号を空白記号に配置すること、又は、
前記第１基地局の記号配置情報に未指定記号が含まれ、且つ前記第２基地局の記号配置情報に未指定記号が含まれていない場合、前記第２基地局により前記未指定記号の位置を決定し、前記第２基地局のサブフレーム内の前記未指定記号の位置に対応するアップリンク記号に空白記号を配置すること、又は、
前記第２基地局の記号配置情報と前記第１基地局の記号配置情報とのいずれにも未指定記号が含まれる場合、前記第２基地局により前記第１基地局のダウンリンク記号に対応する位置の第２基地局の未指定記号を空白記号に配置し、前記第２基地局のサブフレーム内にて、前記第１基地局の未指定記号に対応する位置のアップリンク記号を決定し、前記対応する位置のアップリンク記号を空白記号に配置すること、をさらに含む。
【００１０】
一つの選択可能な実施形態において、前記第２基地局が再配置後の記号配置情報に基づいて通信することは、
ＵＥが前記空白記号において通信しないように、前記第２基地局により第１記号配置情報をユーザー装置ＵＥに送信すること、又は、
ＵＥが前記空白記号においてプリセットのパワーを採用して通信するように、前記第２基地局によりプリセットのパワーを持つ第２記号配置情報をユーザー装置ＵＥに送信すること、を含む。
【００１１】
一つの選択可能な実施形態において、前記第１基地局は前記第２基地局のカバレッジエリア内のマイクロ基地局であり、又は前記第１基地局は前記第２基地局のカバレッジエリアと重なるマクロ基地局であり、又は前記第１基地局は前記第２基地局の隣接基地局である。
【００１２】
本発明の実施例に係る第２態様によれば、第２基地局に適用される通信装置を提供し、前記装置は、
第１基地局のサブフレーム内のアップリンク／ダウンリンク記号の配置状況を示す記号配置情報を受信する受信モジュールと、
前記第１基地局の記号配置情報と第２基地局の記号配置情報に基づき、第２基地局のサブフレーム内の通信時に干渉が発生すると予測される記号である指定記号を空白記号に配置する配置モジュールと、
再配置後の記号配置情報に基づいて通信する通信モジュールと、
を含む。
【００１３】
一つの選択可能な実施形態において、前記受信モジュールは、
前記第１基地局が第２基地局の構築後に送信する記号配置情報を受信し、又は、
前記第１基地局が記号配置情報の変更後に送信する記号配置情報を受信し、又は、
前記第１基地局が作業ニーズの変更後に送信する記号配置情報を受信する。
【００１４】
一つの選択可能な実施形態において、前記配置モジュールは、
前記第１基地局のサブフレーム内と前記第２基地局のサブフレーム内とのいずれにもアップリンク記号とダウンリンク記号が含まれる場合、前記第２基地局のアップリンク記号と前記第１基地局のダウンリンク記号の重なる位置を決定し、前記重なる位置のアップリンク記号を空白記号に配置し、又は、
前記第１基地局のサブフレーム内にアップリンク記号とダウンリンク記号が含まれ、前記第２基地局のサブフレーム内にはアップリンク記号が含まれるが、ダウンリンク記号が含まれていない場合、前記第２基地局のサブフレーム内のアップリンク記号を空白記号に配置し、又は、
前記第２基地局のサブフレーム内にアップリンク記号とダウンリンク記号が含まれ、前記第１基地局のサブフレーム内にはダウンリンク記号が含まれるが、アップリンク記号が含まれていない場合、前記第２基地局のサブフレーム内のアップリンク記号を空白記号に配置する。
【００１５】
一つの選択可能な実施形態において、前記配置モジュールは、さらに、
前記第１基地局の記号配置情報に前記第１基地局のサブフレーム内の全ての記号配置情報を含まない場合、前記第１基地局のサブフレーム内の前記記号配置情報に含まれる記号以外の記号であるターゲット記号の位置を決定し、前記第２基地局のサブフレーム内の前記ターゲット記号に対応する位置のアップリンク記号を空白記号に配置する。
【００１６】
一つの選択可能な実施形態において、前記配置モジュールは、さらに、
前記第２基地局の記号配置情報に未指定記号が含まれ、且つ前記第１基地局の記号配置情報に未指定記号が含まれていない場合、前記第１基地局のダウンリンク記号に対応する位置の未指定記号を空白記号に配置し、又は、
前記第１基地局の記号配置情報に未指定記号が含まれ、且つ前記第２基地局の記号配置情報に未指定記号が含まれていない場合、前記未指定記号の位置を決定し、前記第２基地局のサブフレーム内の前記未指定記号の位置に対応するアップリンク記号に空白記号を配置し、又は、
前記第２基地局の記号配置情報と前記第１基地局の記号配置情報とのいずれにも未指定記号が含まれる場合、前記第１基地局のダウンリンク記号に対応する位置の前記第２基地局の未指定記号を空白記号に設置し、前記第２基地局のサブフレーム内にて、前記第１基地局の未指定記号に対応する位置のアップリンク記号を決定し、前記対応する位置のアップリンク記号を空白記号に配置する。
【００１７】
一つの選択可能な実施形態において、前記通信モジュールは、
ＵＥが前記空白記号において通信しないように、第１記号配置情報をユーザー装置ＵＥに送信し、又は、
ＵＥが前記空白記号において前記プリセットのパワーを採用して通信するように、プリセットのパワーを持つ第２記号配置情報をユーザー装置ＵＥに送信する。
【００１８】
一つの選択可能な実施形態において、前記第１基地局は前記第２基地局のカバレッジエリア内のマイクロ基地局であり、又は前記第１基地局は前記第２基地局のカバレッジエリアと重なるマクロ基地局であり、又は前記第１基地局は前記第２基地局の隣接基地局である。
【発明の効果】
【００１９】
本発明の実施例により提供される技術案は、以下の好適な効果を有する。
【００２０】
一つの例示的な実施例により示された方法及び装置は、第２基地局が通信時に干渉が発生すると予測される記号を空白記号に配置することにより、第１基地局のダウンリンク記号における通信を干渉することを回避する。記号はサブフレーム内におけるより短い時間の長さであり、関連技術に比べて、空白記号を配置する方式はサブフレームのリソースを節約できると共に、第２基地局の通信プロセスを過度に遅延させることなく、通信効率が高くなる。
【００２１】
一つの選択可能な実施形態において、第２基地局は第１基地局に対する干渉を回避すると同時に、第２基地局はＵＥがプリセットのパワーを採用し通信することをサポートし、第２基地局の通信効率を確保する。
【００２２】
以上の一般的な説明と後述の詳細な説明は、いずれも例示的且つ解釈的なものに過ぎず、本発明を限定するものではないと理解すべきである。
【図面の簡単な説明】
【００２３】
ここの図面は、明細書に組み入れられ、本明細書の一部を構成し、本発明に適合する実施例を示し、明細書と共に本発明の原理を解釈するのに用いられる。
【００２４】
【図１】一つの例示的な実施例により示された通信方法のフローチャートである。
【図２Ａ】一つの例示的な実施例により示されたサブフレームのフォーマットを示す模式図である。
【図２Ｂ】一つの例示的な実施例により示された通信方法のフローチャートである。
【図３】一つの例示的な実施例により示された空白記号の配置を示す模式図である。
【図４】一つの例示的な実施例により示された空白記号の配置を示す模式図である。
【図５】一つの例示的な実施例により示された空白記号の配置を示す模式図である。
【図６】一つの例示的な実施例により示された空白記号の配置を示す模式図である。
【図７】一つの例示的な実施例により示された空白記号の配置を示す模式図である。
【図８】一つの例示的な実施例により示された空白記号の配置を示す模式図である。
【図９】一つの例示的な実施例により示された空白記号の配置を示す模式図である。
【図１０】一つの例示的な実施例により示された通信装置のブロック図である。
【図１１】一つの例示的な実施例により示された基地局の構造模式図である。
【発明を実施するための形態】
【００２５】
本発明の目的、技術案及び利点をより明瞭化させるため、以下、図面を参照しながら、本発明の実施形態についてさらに詳しく説明する。
【００２６】
ここでは、例示的な実施例について詳しく説明する。例示的な実施例は、図面に示されている。以下、図面に関わる説明において、特別な説明がない限り、異なる図面における同じ記号は、同一又は類似の要素を示している。以下の例示的な実施例に記載された実施形態は、本発明と一致する全ての実施形態を示すものではない。反対に、それらは特許請求の範囲に記載された本発明の一部の態様と一致する装置と方法の例に過ぎない。
【００２７】
図１は、一つの例示的な実施例により示された通信方法のフローチャートである。図１に示すように、通信方法は第２基地局に用いられ、以下のステップを含む。
【００２８】
ステップ１０１において、第２基地局により、第１基地局の記号配置情報を受信する。記号配置情報はサブフレーム内のアップリンク／ダウンリンク記号の配置状況を示す。
【００２９】
ステップ１０２において、第２基地局は、第１基地局の記号配置情報と第２基地局の記号配置情報に基づき、第２基地局のサブフレーム内の指定記号を空白記号に配置する。指定記号は通信時に干渉が発生すると予測される記号である。
【００３０】
ステップ１０３において、第２基地局は、再配置後の記号配置情報に基づいて通信する。
【００３１】
関連技術では、マクロ基地局は通信時にアップリンクサブフレーム全体を空白サブフレームに配置し、関連基地局のダウンリンク通信を干渉することを回避する。アップリンクサブフレーム全体を空白サブフレームに配置する方式は、サブフレームのリソースを無駄にするとともに、第２基地局の通信プロセスを遅延させ、第２基地局の通信効率が低くなってしまう。
【００３２】
本発明の実施例において、第２基地局の通信時に干渉が発生すると予測される記号を空白記号に配置することにより、第１基地局のダウンリンク記号における通信を干渉することを回避する。記号はサブフレーム内におけるより短い時間の長さであり、関連技術に比べて、空白記号を配置する方式はサブフレームのリソースを節約できると共に、第２基地局の通信プロセスを過度に遅延させることなく、通信効率が高い。
【００３３】
一つの選択可能な実施形態において、上記方法は、
第２基地局により、第１基地局が第２基地局の構築後に送信する記号配置情報を受信すること、又は、
第２基地局により、第１基地局が記号配置情報の変更後に送信する記号配置情報を受信すること、又は、
第２基地局により、第１基地局が作業ニーズの変更後に送信する記号配置情報を受信すること、を含む。
【００３４】
一つの選択可能な実施形態において、上記方法は、
第１基地局のサブフレーム内と第２基地局のサブフレーム内とのいずれにもアップリンク記号とダウンリンク記号が含まれる場合、第２基地局により第２基地局のアップリンク記号と第１基地局のダウンリンク記号との重なる位置を決定し、重なる位置のアップリンク記号を空白記号に配置すること、又は、
第１基地局のサブフレーム内にアップリンク記号とダウンリンク記号が含まれ、第２基地局のサブフレーム内にはアップリンク記号が含まれるが、ダウンリンク記号が含まれていない場合、第２基地局により第２基地局のサブフレーム内のアップリンク記号を空白記号に配置すること、又は、
第２基地局のサブフレーム内にアップリンク記号とダウンリンク記号が含まれ、第１基地局のサブフレーム内にはダウンリンク記号が含まれるが、アップリンク記号が含まれていない場合、第２基地局により第２基地局のサブフレーム内のアップリンク記号を空白記号に配置すること、を含む。
【００３５】
一つの選択可能な実施形態において、上記方法は、
第１基地局の記号配置情報に第１基地局のサブフレーム内の全ての記号配置情報が含まれていない場合、第２基地局により、第１基地局のサブフレーム内の記号配置情報に含まれる記号以外の記号であるターゲット記号の位置を決定し、第２基地局のサブフレーム内のターゲット記号に対応する位置のアップリンク記号を空白記号に配置することをさらに含む。
【００３６】
一つの選択可能な実施形態において、上記方法は、
第２基地局の記号配置情報に未指定記号が含まれ、且つ第１基地局の記号配置情報に未指定記号が含まれていない場合、第２基地局により第１基地局のダウンリンク記号に対応する位置の未指定記号を空白記号に配置すること、又は、
第１基地局の記号配置情報に未指定記号が含まれ、且つ第２基地局の記号配置情報に未指定記号が含まれていない場合、第２基地局により未指定記号の位置を決定し、第２基地局のサブフレーム内の未指定記号の位置に対応するアップリンク記号に空白記号を配置すること、又は、
第２基地局の記号配置情報と第１基地局の記号配置情報とのいずれにも未指定記号が含まれる場合、第２基地局により第１基地局のダウンリンク記号に対応する位置の第２基地局の未指定記号を空白記号に配置し、第２基地局のサブフレーム内にて、第１基地局の未指定記号に対応する位置のアップリンク記号を決定し、対応する位置のアップリンク記号を空白記号に配置すること、
をさらに含む。
【００３７】
一つの選択可能な実施形態において、上記方法は、
ＵＥが空白記号において通信しないよう、第２基地局により第１記号配置情報をユーザー装置ＵＥに送信すること、又は、
ＵＥが空白記号においてプリセットのパワーを採用して通信するよう、第２基地局によりプリセットのパワーを持つ第２記号配置情報をユーザー装置ＵＥに送信すること、を含む。
【００３８】
一つの選択可能な実施形態において、第１基地局は第２基地局のカバレッジエリア内のマイクロ基地局であり、又は第１基地局は第２基地局のカバレッジエリアと重なるマクロ基地局であり、又は第１基地局は第２基地局の隣接基地局である。
【００３９】
上記のあらゆる好ましい技術案は、任意の組み合わせにより本発明の好ましい実施例を形成することができるが、ここではその説明を省略する。
【００４０】
図２Ａは、一つの例示的な実施例により示されたサブフレームのフォーマットを示す模式図である。図２Ａに示すように、一つのサブフレーム内にはアップリンク記号又はダウンリンク記号が含まれるがそれに限定されない。基地局はアップリンク記号においてアップリンク通信し、ダウンリンク記号においてダウンリンク通信する。
【００４１】
また、該基地局がアップリンク通信時にその関連基地局のダウンリンク通信に干渉されることを回避するために、各基地局はダウンリンク通信からアップリンク通信に変換されるとき、いずれも保護期間を有する。
【００４２】
図２Ｂは、一つの例示的な実施例により示された通信方法のフローチャートである。図２Ｂに示すように、通信方法は基地局に用いられ、以下のステップを含む。
【００４３】
ステップ２００において、第１基地局は第２基地局にサブフレーム内のアップリンク／ダウンリンク記号の配置状況を示す記号配置情報を送信する。
【００４４】
本発明の実施例において、第１基地局は第２基地局の関連基地局である。第２基地局がマクロ基地局であるとき、第１基地局は第２基地局のカバレッジエリア内のマイクロ基地局であってもよく、第２基地局がマイクロ基地局であるとき、第１基地局は第２基地局のカバレッジエリアと重なるマクロ基地局であってもよい。また、第１基地局は第２基地局の隣接基地局であってもよいが、本発明の実施例はそれに限定されない。
【００４５】
記号配置情報は、サブフレーム内の記号の種類（例えば、アップリンク記号、ダウンリンク記号）、記号の位置及び保護期間の位置を含むがそれに限定されない。
【００４６】
実際に、通信事業者は第１基地局が受ける可能性のある干渉の影響程度又は作業ニーズに基づいて第２基地局が該第１基地局による干渉を回避すべきか否かを決定し、回避する必要がある場合、第１基地局は第２基地局に記号配置情報を送信し、選択可能な送信状況は少なくとも以下の３つの状況があり、本発明の実施例はそれを限定しない。
【００４７】
例えば、第１基地局が構築された後、第２基地局に記号配置情報を送信する。
【００４８】
例えば、第１基地局の記号配置情報が変更された場合、第２基地局は第１基地局を干渉しないことから第１基地局を干渉することに変換される可能性があり、又は第１基地局を干渉し続けるため、本発明の他の１つの実施例においては、第１基地局の記号配置情報が変更された後、第２基地局に記号配置情報を送信する。
【００４９】
例えば、第１基地局の作業ニーズが変更された後、第２基地局が該第１基地局による干渉を回避する可能性があるよう、通信事業者により決定されるため、本発明の他の１つの実施例においては、第１基地局は作業ニーズが変更された後、第２基地局に記号配置情報を送信する。
【００５０】
ステップ２０１において、第２基地局は第１基地局の記号配置情報を受信する。
【００５１】
なお、第１基地局と第２基地局の地理的位置が近く、第２基地局のアップリンク通信と第１基地局のダウンリンク通信が同じサブフレーム内にて行われると、第２基地局のアップリンク通信は第１基地局のダウンリンク通信を干渉する可能性があるため、第２基地局は実際の状況に基づいて干渉を回避することができる。
【００５２】
実際に、第２基地局は自身の通信状況又は第１基地局の通信需要に基づいて回避すべきか否かを決定することができるが、本発明はこれに限定されない。回避する必要がある場合、ステップ２０２へ進み、回避する必要がない場合、終了する。例えば、第２基地局自身の通信効率が悪く、又は、第１基地局がある時間帯において通信品質に対する需要が低く、第２基地局は回避する必要がないとき、ステップ２０２へ進まなくてもよい。
【００５３】
ステップ２０２において、第１基地局の記号配置情報と第２基地局の記号配置情報に基づき、第２基地局は第２基地局のサブフレーム内の指定記号を空白記号に配置する。指定記号は、通信時に干渉が発生すると予測される記号である。
【００５４】
なお、第１基地局の記号配置情報と第２基地局の記号配置情報に基づき、第２基地局は２つの基地局のサブフレーム内の記号の具体的な配置、例えば、アップリンク／ダウンリンク記号の位置を知ることができ、それにより、第１基地局のダウンリンク記号と第２基地局のアップリンク記号の重なる部分を決定する。重なる部分のアップリンク記号は指定記号であり、通信時に干渉が発生すると予測される。
【００５５】
本発明の実施例において、受信した第１基地局の記号配置情報に第１基地局のサブフレーム内の全ての記号配置情報が含まれる場合、例えば、図２Ａにおけるサブフレームはサブフレーム内の全ての記号配置情報を含み、サブフレームの各記号位置にはいずれも対応するアップリンク記号、ダウンリンク記号又は保護期間がある。干渉状況に基づき、第２基地局がアップリンク通信時に第１基地局のダウンリンク通信を干渉することを防止するために、少なくとも以下の３つの空白記号を配置する方式がある。
【００５６】
第１方式は、第１基地局のサブフレーム内と第２基地局のサブフレーム内とのいずれにもアップリンク記号とダウンリンク記号を含む場合、第２基地局のアップリンク記号と第１基地局のダウンリンク記号の重なる位置を決定し、重なる位置のアップリンク記号を空白記号に配置する。
【００５７】
例えば、図３は一つの例示的な実施例により示された空白記号の配置を示す模式図である。図３における（ａ）図に示すように、空白記号を配置する前に、サブフレーム内記号の位置３と位置７において、第２基地局のアップリンク記号と第１基地局のダウンリンク記号が重なり、第２基地局が位置３と位置７のアップリンク記号において通信するとき、第１基地局のダウンリンク通信を干渉する可能性がある。このため、図３における図（ｂ）に示すように、該重なる部分のアップリンク記号を空白記号に配置し、干渉を回避する。
【００５８】
第２方式は、第１基地局のサブフレーム内にアップリンク記号とダウンリンク記号が含まれ、第２基地局のサブフレーム内にはアップリンク記号が含まれるが、ダウンリンク記号が含まれていない場合、第２基地局のサブフレーム内のアップリンク記号を空白記号に配置する。
【００５９】
例えば、図４は一つの例示的な実施例により示された空白記号の配置を示す模式図である。図４における（ａ）図に示すように、空白記号を配置する前に、第２基地局がサブフレーム内のアップリンク記号において通信するとき、第１基地局がサブフレーム内の対応するダウンリンク記号において通信することを干渉する。従って、図４における（ｂ）図に示すように、干渉を回避するために、第２基地局のサブフレーム内の全ての記号を空白記号に配置する。
【００６０】
第３方式は、第２基地局のサブフレーム内にアップリンク記号とダウンリンク記号が含まれ、第１基地局のサブフレーム内にはダウンリンク記号が含まれるが、アップリンク記号が含まれていない場合、第２基地局のサブフレーム内のアップリンク記号を空白記号に配置する。
【００６１】
例えば、図５は一つの例示的な実施例により示された空白記号の配置を示す模式図である。図５における（ａ）図に示すように、空白記号を配置する前に、第２基地局が各アップリンク記号において通信する場合、いずれも第１基地局が対応するダウンリンク記号において通信することを干渉する。このため、図５における（ｂ）図に示すように、干渉を回避するために、第２基地局のサブフレーム内の全てのアップリンク記号を空白記号に配置する。
【００６２】
実際に、受信した第１基地局の記号配置情報は第１基地局のサブフレーム内の全ての記号配置情報を含んでいない可能性がある。記号配置情報が未知であるため、ターゲット記号はアップリンク記号である可能性があり、このとき、第２基地局のサブフレーム内のターゲット記号に対応する位置のアップリンク記号がアップリンク記号である場合、干渉の原因となる。ターゲット記号は、第１基地局のサブフレーム内の記号配置情報に含まれる記号以外の記号である。
【００６３】
例えば、図６は一つの例示的な実施例により示された空白記号の配置を示す模式図である。図６における（ａ）図に示すように、第１基地局のサブフレームの記号位置７にはターゲット記号がある。第１基地局のターゲット記号における通信を干渉することを回避するために、図６における（ｂ）図に示すように、ターゲット記号の位置を決定し、第２基地局のサブフレーム内のターゲット記号に対応する位置のアップリンク記号を空白記号に配置する。
サブフレーム内に未指定記号があることを考慮する場合、未指定記号が実際の通信過程において、アップリンク記号又はダウンリンク記号である可能性があるため、第２基地局は通信する前に未指定記号の実際の配置状況を決定することができない。従って、第２基地局の未指定記号がアップリンク記号である場合又は第１基地局の未指定記号がダウンリンク記号である場合、いずれも第２基地局による第１基地局の通信を干渉させる可能性があり、そのため、本発明の実施例において、発生可能な干渉を回避するために、少なくとも以下の３つの空白記号の配置方式をさらに有する。
【００６４】
第４方式は、第２基地局の記号配置情報が未指定記号を含み、且つ第１基地局の記号配置情報が未指定記号を含んでいないとき、第１基地局のダウンリンク記号に対応する位置の未指定記号を空白記号に配置する。
【００６５】
例えば、図７は一つの例示的な実施例により示された空白記号の配置を示す模式図である。図７における（ａ）図に示すように、第２基地局はサブフレームの記号位置１と記号位置３において未指定記号を有する。第２基地局が未指定記号において通信するときにアップリンク通信であり、第１基地局の対応する位置のダウンリンク通信を干渉することを回避するために、図７における（ｂ）図に示すように、未指定記号を空白記号に配置する。
【００６６】
第５方式は、第１基地局の記号配置情報が未指定記号を含み、且つ第２基地局の記号配置情報が未指定記号を含んでいないとき、未指定記号の位置を決定し、第２基地局のサブフレーム内の未指定記号の位置に対応するアップリンク記号に空白記号を配置する。
【００６７】
例えば、図８は一つの例示的な実施例により示された空白記号の配置を示す模式図である。図８における（ａ）図に示すように、第１基地局はサブフレームの記号位置７に未指定記号を有する。第１基地局が未指定記号においてダウンリンク通信する場合、図８における（ｂ）図に示すように、第２基地局が対応するアップリンク記号において通信時に発生する干渉を回避するために、第１基地局の位置７のアップリンク記号を空白記号に配置する。
【００６８】
第６方式は、第２基地局の記号配置情報と第１基地局の記号配置情報とのいずれにも未指定記号が含まれる場合、第１基地局のダウンリンク記号に対応する位置の第２基地局の未指定記号を空白記号に配置し、第２基地局のサブフレーム内にて、第１基地局の未指定記号に対応する位置のアップリンク記号を決定し、対応する位置のアップリンク記号を空白記号に配置する。
【００６９】
例えば、図９は一つの例示的な実施例により示された空白記号の配置を示す模式図である。図９における（ａ）図に示すように、第２基地局のサブフレームの記号位置１と位置２には未指定記号が有る。第１基地局の位置１と位置２におけるダウンリンク通信を干渉することを回避するために、第２基地局の位置１と位置２に空白記号を配置する。さらに、第１基地局のサブフレームの記号位置７には未指定記号が有り、第２基地局が位置７のアップリンク記号において通信時に干渉することを回避するために、該位置のアップリンク記号を空白記号に配置する。配置の結果は、図９における（ｂ）図に示すとおりである。
【００７０】
ステップ２０３において、サブフレーム内に空白記号を配置した後、ＵＥが再配置後の記号配置情報に従って通信するように、第２基地局は再配置後の記号配置情報をユーザー装置ＵＥに送信する。
【００７１】
本発明の実施例において、再配置後の記号配置情報は第１記号配置情報であってもよい。第２基地局が第１記号配置情報をＵＥに送信するとき、ＵＥが空白記号においてアップリンク通信しないようにし、サブフレーム内の配置された空白記号以外の記号においてアップリンク通信するようにし、第１基地局のダウンリンク通信を干渉することを回避する。
【００７２】
第１基地局に対する干渉を回避すると同時に、第２基地局の通信効率を確保するために、本発明の他の１つの実施例において、再配置後の記号配置情報は第２記号配置情報であってもよい。第２記号配置情報は第２基地局がＵＥを限定するプリセットのパワーを持ち、例えば、プリセットのパワーが元のパワーの５０％であってもよく、本発明はこれについて限定しない。第２基地局が第２記号配置情報をＵＥに送信するとき、ＵＥに空白記号においてプリセットのパワーを採用して通信するようにし、サブフレーム内の配置された空白記号以外の記号において通常通り通信するようにする。
【００７３】
関連技術において、マクロ基地局は通信時にアップリンクサブフレーム全体を空白サブフレームに配置し、関連基地局のダウンリンク通信を干渉することを回避する。アップリンクサブフレーム全体を空白サブフレームに配置する方式は、サブフレームのリソースを無駄にすると共に、本基地局の通信プロセスを遅延させ、本基地局の通信効率が非常に低くなってしまう。
【００７４】
本発明の実施例において、第２基地局が通信時に干渉が発生すると予測される記号を空白記号に配置することにより、第１基地局のダウンリンク記号における通信を干渉することを回避する。記号はサブフレーム内におけるより短い時間の長さであり、関連技術に比べて、空白記号を配置する方式はサブフレームのリソースを節約できると共に、第２基地局の通信プロセスを過度に遅延させることなく、通信効率が高くなる。
【００７５】
また、本発明の実施例において、第２基地局は第１基地局に対する干渉を回避すると同時に、第２基地局はＵＥがプリセットのパワーを採用して通信することをサポートし、第２基地局の通信効率を確保する。
【００７６】
図１０は一つの例示的な実施例により示された通信装置のブロック図である。該装置は第２基地局に適用され、図１０に示すように、受信モジュール１００１、配置モジュール１００２、及び通信モジュール１００３を含む。
【００７７】
該受信モジュール１００１は、第１基地局の記号配置情報を受信するように構成される。記号配置情報は、サブフレーム内のアップリンク／ダウンリンク記号の配置状況を示す。
【００７８】
該配置モジュール１００２は、第１基地局の記号配置情報と第２基地局の記号配置情報に基づき、第２基地局のサブフレーム内の指定記号を空白記号に配置するように構成される。指定記号は、通信時に干渉が発生すると予測される記号である。
【００７９】
該通信モジュール１００３は、再配置後の記号配置情報に基づいて通信するように構成される。
【００８０】
一つの選択可能な実施形態において、該受信モジュール１００１は、
第１基地局が第２基地局の構築後に送信する記号配置情報を受信し、又は、
第１基地局が記号配置情報の変更後に送信する記号配置情報を受信し、又は、
第１基地局が作業ニーズの変更後に送信する記号配置情報を受信するように構成される。
【００８１】
一つの選択可能な実施形態において、該配置モジュール１００２は、
第１基地局のサブフレーム内と第２基地局のサブフレーム内とのいずれにもアップリンク記号とダウンリンク記号が含まれる場合、第２基地局のアップリンク記号と第１基地局のダウンリンク記号との重なる位置を決定し、重なる位置のアップリンク記号を空白記号に配置し、又は、
第１基地局のサブフレーム内にアップリンク記号とダウンリンク記号が含まれ、第２基地局のサブフレーム内にはアップリンク記号が含まれるが、ダウンリンク記号が含まれていない場合、第２基地局のサブフレーム内のアップリンク記号を空白記号に配置し、又は、
第２基地局のサブフレーム内にアップリンク記号とダウンリンク記号が含まれ、第１基地局のサブフレーム内にはダウンリンク記号が含まれるが、アップリンク記号が含まれていない場合、第２基地局のサブフレーム内のアップリンク記号を空白記号に配置するように構成される。
【００８２】
一つの選択可能な実施形態において、該配置モジュール１００２は、さらに、
第１基地局の記号配置情報に第１基地局のサブフレーム内の全ての記号配置情報が含まれていない場合、第１基地局のサブフレーム内の記号配置情報に含まれる記号以外の記号であるターゲット記号の位置を決定し、第２基地局のサブフレーム内のターゲット記号に対応する位置のアップリンク記号を空白記号に配置するように構成される。
【００８３】
一つの選択可能な実施形態において、該配置モジュール１００２は、さらに、
第２基地局の記号配置情報に未指定記号が含まれ、且つ第１基地局の記号配置情報に未指定記号が含まれていない場合、第１基地局のダウンリンク記号に対応する位置の未指定記号を空白記号に配置し、又は、
第１基地局の記号配置情報に未指定記号が含まれ、且つ第２基地局の記号配置情報に未指定記号が含まれていない場合、未指定記号の位置を決定し、第２基地局のサブフレーム内の未指定記号の位置に対応するアップリンク記号に空白記号を配置し、又は、
第２基地局の記号配置情報と第１基地局の記号配置情報とのいずれにも未指定記号が含まれる場合、第１基地局のダウンリンク記号に対応する位置の第２基地局の未指定記号を空白記号に設置し、第２基地局のサブフレーム内にて、第１基地局の未指定記号に対応する位置のアップリンク記号を決定し、対応する位置のアップリンク記号を空白記号に配置するよう構成される。
【００８４】
一つの選択可能な実施形態において、該通信モジュール１００３は、
ＵＥが空白記号において通信しないように、第１記号配置情報をユーザー装置ＵＥに送信し、又は、
ＵＥが空白記号においてプリセットのパワーを採用して通信するように、プリセットのパワーを持つ第２記号配置情報をユーザー装置ＵＥに送信するように構成される。
【００８５】
一つの選択可能な実施形態において、第１基地局は第２基地局のカバレッジエリア内のマイクロ基地局であり、又は第１基地局は第２基地局のカバレッジエリアと重なるマクロ基地局であり、又は第１基地局は第２基地局の隣接基地局である。
【００８６】
関連技術において、マクロ基地局は通信時にアップリンクサブフレーム全体を空白サブフレームに配置し、第１基地局のダウンリンク通信を干渉することを回避する。サブフレーム全体を空白サブフレームに配置する方式は、サブフレームのリソースを無駄にすると共に、本基地局の通信プロセスを遅延させ、本基地局の通信効率が低くなってしまう。
【００８７】
本発明の実施例において、第２基地局の通信時に干渉が発生すると予測される記号を空白記号に配置することにより、第１基地局のダウンリンク記号における通信を干渉することを回避する。記号はサブフレーム内におけるより短い時間の長さであり、関連技術に比べて、空白記号を配置する方式はサブフレームのリソースを節約できると共に、第２基地局の通信プロセスを過度に遅延させることなく、通信効率が高くなる。
【００８８】
また、本発明の実施例において、第２基地局は第１基地局に対する干渉を回避すると同時に、第２基地局はＵＥがプリセットのパワーを採用して通信することをサポートし、第２基地局の通信効率を確保する。
【００８９】
上記実施例における装置について、各モジュールの操作を実行する具体的な形態は、該方法に関する実施例において詳しく説明したので、ここで詳細な説明を省略する。
【００９０】
本発明の実施例は、上記方法の実施例における各ステップ及び方法を実現する装置の実施例をさらに提供する。本発明の実施例は様々な通信システムにおける基地局に適用することができる。
【００９１】
図１１は本発明の実施例により提供される基地局の構造模式図である。図１１に示すように、該基地局は送信機１１０１、受信機１１０２、メモリ１１０３及びそれぞれ送信機、受信機及びメモリに接続されるプロセッサ１１０４を含む。当然ながら、基地局はアンテナ、ベースバンド処理部材、中間無線周波数処理部材、入出力装置などの汎用部材をさらに含むことができるが、本発明の実施例はそれに限定されない。
【００９２】
プロセッサは、上記実施例により提供されるいずれかの選択可能な実施形態における方法を実行するように構成される。
【００９３】
当業者であれば、明細書を考慮し、ここに開示する発明を実践した上で、本発明のその他の実施態様を容易に想到できる。本願は、本発明の如何なる変形、用途又は適応的変化を含むことを意図しており、これらの変形、用途又は適応的変化は本発明の一般的な原理に準じ、本発明に開示されていない当該技術分野における一般的知識又は慣用の技術手段を含む。明細書と実施例は、例示的なものに過ぎず、本発明の技術的範囲と思想は、特許請求の範囲によって決められる。
【００９４】
本発明は、上記の説明及び図面に示された正確な構造に限定されることなく、その要旨を逸脱しない範囲内で様々な補正や変更を行うことができる。本発明の範囲は、特許請求の範囲のみによって限定される。
【図１】
2018527764.tif 000003
【図２Ａ】
2018527764.tif 000004
【図２Ｂ】
2018527764.tif 000005
【図３】
2018527764.tif 000006
【図４】
2018527764.tif 000007
【図５】
2018527764.tif 000008
【図６】
2018527764.tif 000009
【図７】
2018527764.tif 000010
【図８】
2018527764.tif 000011
【図９】
2018527764.tif 000012
【図１０】
2018527764.tif 000013
【図１１】
2018527764.tif 000014
【国際調査報告】
2018527764.tif 000015
2018527764.tif 000016
2018527764.tif 000017
2018527764.tif 000018